(57)【要約】【課題】  本考案は、外部に対しての開放性を保ちつつ一部を半居住空間的な空間とし、有効利用が図られる住宅のバルコニーを提供することを課題とする。【解決手段】  本考案の住宅のバルコニーは、バルコニーの先端に立てられた複数本の列柱、および床から所定高さの位置から水平方向であって、部屋方向に延びる底部分と、この底部分の後縁から前記手すり壁の上縁近傍まで上方に延びる第１側部分と、前記手すり壁の前記第１測部分に対向する部分である第２側部分とで構成された所定長の花台を備え、前記複数の列柱の両端側の側部列柱は、前記花台の奥行きとほぼ同様かそれ以上の奥行きを有し、他の列柱より部屋方向に突出していることを特徴とする。【選択図】  図４
0003103815.tif 000002
【実用新案登録請求の範囲】
【請求項１】
バルコニーの先端に立てられた複数本の列柱、および床から所定高さの位置から水平方向であって、部屋方向に延びる底部分と、この底部分の後縁から前記手すり壁の上縁近傍まで上方に延びる第１側部分と、前記手すり壁の前記第１測部分に対向する部分である第２側部分とで構成された所定長の花台を備え、前記複数の列柱の両端側の側部列柱は、前記花台の奥行きとほぼ同様かそれ以上の奥行きを有するものである住宅のバルコニー。
【請求項２】
前記列柱の両端側の側部列柱の間隔が６００ｍｍ以上、バルコニーの幅の７０％以下である請求項１の住宅のバルコニー。
【請求項３】
屋根もしくは屋根の代替物が存在する請求項１または２の住宅のバルコニー。
【請求項４】
前記列柱の両端側の側部列柱の間に物干し竿が配置されているか、配置できるようにする器具が設けられた請求項１〜３のいずれかの住宅のバルコニー。
【請求項５】
前記列柱の少なくとも１本に照明器具が取り付けられている請求項１〜４のいずれかの住宅のバルコニー。
【請求項６】
水道蛇口付きシンクが設けられた請求項１〜５のいずれかの住宅のバルコニー。
【請求項７】
前記側部列柱の奥行きが、手すり壁の中心から２００〜４５０ｍｍである請求項１〜６のいずれかの住宅のバルコニー。
【考案の詳細な説明】
【技術分野】
【０００１】
本考案は、住宅のバルコニーに関するものである。
【背景技術】
【０００２】
住宅特にマンション等の集合住宅においては、バルコニー（本明細書においては、デッキ、テラス、ベランダ等と称されるものもこれに含まれるものとする）が設置されているものが多いが、物干し台等とのみしか使用されていないのが現状である。
【考案の開示】
【考案が解決しようとする課題】
【０００３】
そこで、本考案は、外部に対しての開放性を保ちつつ、一部を半居住空間的な空間とし、また、隣接する建物との相互のプライバシーを、開放性を保ちつつも保護する効果を有し、有効利用が図られる住宅のバルコニーを提供することを課題とする。
【課題を解決するための手段】
【０００４】
上記課題は、下記（１）〜（７）のいずれかの構成の本考案による住宅のバルコニーにより達成できる。
（１）
バルコニーの先端に立てられた複数本の列柱、および床から所定高さの位置から水平方向であって、部屋方向に延びる底部分と、この底部分の後縁から前記手すり壁の上縁近傍まで上方に延びる第１側部分と、前記手すり壁の前記第１測部分に対向する部分である第２側部分とで構成された所定長の花台を備え、前記複数の列柱の両端側の側部列柱は、前記花台の奥行きとほぼ同様かそれ以上の奥行きを有し、他の列柱より部屋方向に突出していることを特徴とする住宅のバルコニー。
（２）
前記列柱の両端側の側部列柱の間隔が６００ｍｍ以上、バルコニーの幅の７０％以下である上記（１）の住宅のバルコニー。
（３）
屋根もしくは屋根の代替物が存在する上記（１）または（２）の住宅のバルコニー。
（４）
前記列柱の両端側の側部列柱の間に物干し竿が配置されているか、配置できるようにする器具が設けられた上記（１）〜（３）のいずれかの住宅のバルコニー。
（５）
前記列柱の少なくとも１本に照明器具が取り付けられている上記（１）〜（４）のいずれかの住宅のバルコニー。
（６）
水道蛇口付きシンクが設けられた上記（１）〜（５）のいずれかの住宅のバルコニー。
（７）
前記側部列柱の奥行きが、手すり壁の中心から２００〜４５０ｍｍである上記（１）〜（６）のいずれかの住宅のバルコニー。
【考案の効果】
【０００５】
本考案の住宅のバルコニーにおいては、花台に植物を入れれば、この植物と複数本の列柱によって前面を覆い、しかも上記列柱の両測端の列柱が他の列柱（中の）より部屋側に突出しているので、バルコニーの一部がやや取り囲まれた部屋のようになり、外部に対しての開放性を保ちつつも半居住空間として用いることができる。
【０００６】
また、十分な緑化ができる。更には、花台の下の空間を、ガーデニング用具等の収容空間としたり、下着等の小物の物干し空間とすることもできる。
さらにまた、本考案の住宅のバルコニーによれば、ガーデニングを楽しみながら、バルコニーの緑化を図れるという利点もある。
【考案を実施するための最良の形態】
【０００７】
以下、添付図面を参照しつつ、本考案の実施の形態による住宅のバルコニーについて説明する。
本考案の実施の形態による住宅のバルコニー１０には、その先端すなわち手すり壁１２と一体に、あるいはその内側に、複数本の列柱１４，１６が立てられている。前記列柱の両端側の側部列柱１６の間隔は、６００ｍｍ以上、バルコニーの幅の７０％以下、特に９００ｍｍ〜４２００ｍｍ、さらには１２００ｍｍ〜３６００ｍｍ程度であることが望ましい。後にも説明するが、この列柱、特に両端側の側部列柱１６の作用により、ある程度囲まれた空間となるが、それらの幅があまりに広いと、開放され過ぎて半居住的な空間となりにくく、またあまりに狭いと窮屈である。
【０００８】
また、バルコニー１０の先端には、手すり壁１２の上方部分に設けられた花台１８が備えられている。この花台１８は、手すり壁１２の床から所定高さの位置から水平方向であって、部屋方向に延びる底部分２０と、この底部分２０の後縁から前記手すり壁１２の上縁近傍まで上方に延びる第１側部分２２と、前記手すり壁１２の前記第１測部分に対向する部分である第２側部分２４とで構成された所定長の花台である。この所定長とは、両端側の側部列柱１６の間に丁度収まる長さとすることが望ましい。この花台の奥行きは、ある程度の大きさのプランターを入れることのできる奥行きとすることが好ましい。本花台１８は、上方に設けられているので、あまり背の高くない花等を飾っても、その上部が手すり壁の上縁より突出するので、建物全体を緑化することができると共に、十分に目隠しともなれる。
【０００９】
前記複数の列柱の両端側の側部列柱１６は、前記花台１８の奥行きとほぼ同様かそれ以上の奥行きを有し、他の列柱１４より部屋方向に突出している。この側部列柱１６の奥行きは、手すり壁の中心から２００〜４５０ｍｍであることが好ましい。これによって、バルコニー１０の一部に、半屋内半屋外的な空間が形成され、花台１８に配した植物と共に、快適な空間とすることができる。また、列柱や植物により、夏の暑い陽射を直接取り入れることがないので、暑い盛りであっても、バルコニーを使用できる。
【００１０】
本バルコニーが適用される住宅はどのような住宅であってもよいが、特にマンション等の集合住宅であることが好ましく、屋根もしくは屋根の代替物が存在することが好ましい。上記屋根の代替物とは、たとえば集合住宅にあっては、上階のバルコニーの床２６をいう。
【００１１】
前記列柱の両端側の側部列柱１６の間の花台１８の上方には、物干し竿２８が配置されているか、配置出きるようにする器具（図示せず）が設けられていることが好ましい。この物干し竿２８により、上記の空間を雨の日や来客時の物干し場として使用できる。
前記列柱の少なくとも１本（例えば中央）に照明器具３０例えばブラケット照明が取り付けられていることが好ましい。これにより、暗くなっても、上記空間を外部に対しての開放性を保ちつつ半居住空間的に使用できる。
【００１２】
本バルコニーには、水道蛇口付きシンク３２例えばスロップシンクや、タオル掛け３４（花台の前面）が設けられていることが好ましい。これにより、従来の洗面脱衣室ではまかないきれない、屋外のユーティリティとなる。
以上説明したように、本考案のバルコニーは、極めて洗練されており、かつ実用的である。
【図面の簡単な説明】
【００１３】
【図１】本考案の実施の形態による住宅のバルコニーの一例を示す正面図である。
【図２】図１の線Ａ−Ａに沿う断面図である。
【図３】図１に示したバルコニーの平面図である。
【図４】図１に示したバルコニーの斜視図である。
【符号の説明】
【００１４】
１０  バルコニー
１２  手すり壁
１４  列柱
１６  列柱
１８  花台
【図１】
0003103815.tif 000003
【図２】
0003103815.tif 000004
【図３】
0003103815.tif 000005
【図４】
0003103815.tif 000006